(57)【要約】      （修正有）【課題】安価で手に入る水を、活性化させ其の内容を、健康増進と飲料水の良好且つ快適な関係を求めた界面活性水を作り、素肌や口腔へめがけ、霧状にて吹き付けて潤いを与える簡易活水器を提供する。【解決手段】本来水に含まれ、人体に必要な各種ミネラル成分を、飲料水として良好且つ快適に体内に取り込めるよう、活水器内部充填組成体に、リチアトルマリン、医王石、麦飯石、モンモリロナイト、リモナイト、黒曜石、ゼオライト、マグネタイト、二価三価鉄塩珊瑚、瑪瑙、水晶、シリカブラック、ダイヤモンド、−イオンセラミックス、プラチナ、酸化チタンの何れか２つ以上を活水器内部充填組成体に有し、水の持つ表面張力を低くして、親水性を高めた水質活性を内面から透過するようにしたことを特徴としたほか、各種ミネラルを含み良好且つ快適な界面活性水を生成する、簡易活水器である。【選択図】図１
0003128706.tif 000002
【実用新案登録請求の範囲】
【請求項１】
当該考案は、自然人に於ける肌の潤い及び保湿性を目的とするための簡易活水器であって、該活水器は機能性イオン発生セラミックス及び強力磁性体で希土類系及びフェライト系若しくは希土類プラス、フェライトのハイブリット磁石の何れか２つ以上を有することを特徴とした、簡易活水器の内部充填組成体を用いて、水乃至水溶物質のゼーター電位に作用し酸化還元電位を低下する作用を生かす水質活性を内面から透過するようにしたことを特徴とする小型の簡易活水器
【請求項２】
該考案は、簡易活水器の内部充填組成体に、抗菌セラミックスを用いた、「請求項１」の水質活性を内面から透過するようにしたことを特徴とする小型の簡易活水器
【請求項３】
該考案は、簡易活水器の内部充填組成体に、希土類焼結磁性体及び天然鉱石低レベル放射性物質、ラジウム、ゲルマニウム等を、利用範囲で法規制レベルの３７０ベクレル／ｇ以内を組成体としホルミシス効果を有し、是より産生する微量放射線ホルミシス（ｈｏｒｍｅｓＩｓ：ギリシャ語で刺激）乃至自然環境と同等で理想的な数値のネガティブイオンが、１ｃｍ３当たり約５００〜３０００個、放出していることと、活水機能性を更に向上させた「請求項１」、「請求項２」の水質活性を内面から透過するようにしたことを特徴とする小型の簡易活水器
【考案の詳細な説明】
【技術分野】
【０００１】  当該発明は、自然人に於ける肌の潤いと保湿を目的とするための活水器であって、多種類の鉱石乃至セラミックスを使用した、水の改質化及び活性化を図る容器で小型の活水器に関する。
【背景技術】
【０００２】  従来の活水器には、大まかに分けると以下の４種類がある。【０００３】  １、活性炭を使った、水溶分中の有害物質の吸着除去のみを目的としたもの。【０００４】  ２、活性炭乃至セラミックスや２，３種類の鉱石を加えて水質の向上を目的としたもの。【０００５】  ３、磁力線を使った、水溶分中の有機物の表面電位に作用して、水質の向上を目的としたもの。【０００６】  ４、水を電気分解し、酸性水乃至アルカリイオン化させた、健康増進を目的としたもの。
【考案の開示】
【考案が解決しようとする課題】
【０００７】  水道水は、衛生的で飲料として使用する健康維持に必要不可欠のものである。然し、カルキ臭さがありトリハロメタン等を生成する前駆物質や、身体に良くない活性酸素が含まれている等、味の良くない地域があることが欠点となっている。そのため、従来から人間に於いて多種多様の浄化活水方法が提案されているが、それは活性炭基材乃至セラミックスや２，３種類の天然鉱石を加えて水質の向上及び改質に関する技術的な向上に努めているが、評価は、開発途上の関係もあるが高い評価を得ていない。そこで、この水を改質活性化させ健康増進と飲料水の良好且つ快適な関係を求めた界面活性水を作り、素肌や口腔へめがけ霧状にて吹き付けて潤いを与える、簡易活水器を提供することを目的とする。
【課題を解決するための手段】
【０００８】  飲料水としての水を、改質活性化させ其の味を、マイルド化させるために、今般−イオン化処理が注目されている、−イオンは人体に取り込まれると、各種の機能を低下させる活性酸素の持つ機能を抑え、新陳代謝を活発にする為に、恒常性維持機能（ホメオスターシス）を高めることは広く知られている。【０００９】  人体は凡そ６０兆の細胞で構成され、その約７０％が水分であるといわれ、其の体液の流れを速やかに促し、健康増進と飲料水の良好且つ快適な関係を求めた水を、更に美味しくするには−イオン乃至各種鉱石乃至セラミックス及び磁性体等により、ミネラルの溶出を促し長期間使用し体のミネラルバランスを整える必要がある。
【考案の効果】
【００１０】  当該考案は、本来水に含まれ、人体に必要な各種ミネラル成分を、良好且つ快適に体内に取り込めるよう、活水器の内部充填組成体に、リチアトルマリン、医王石、麦飯石、モンモリロナイト、リモナイト、黒曜石、ゼオライト、マグネタイト、二価三価鉄塩珊瑚、瑪瑙、水晶、シリカブラック、ダイヤモンド、−イオンセラミックス、プラチナ、酸化チタン、機能性イオン発生セラミックス乃至強力磁性体希土類系乃至フェライト系若しくは希土類プラス、フェライトのハイブリット磁石の何れか２つ以上を有することを特徴とする、活水器の内部充填組成体を用いて、水乃至水溶物質のゼーター電位に作用し酸化還元電位を低下する作用を生かす水質活性を内面から透過するようにしたことを特徴とする、水の持つ表面張力を低くして、親水性を高めた「請求項３」の、各種ミネラルを含み良好且つ快適な界面活性水を生成する簡易活水器であることを奏する。
【実施例１】
【００１１】  図１は、当該考案装置の１実施例であり、該考案を表現したもので下記の例によって該考案が実施例だけに限定される物ではない。
【図面の簡単な説明】
【００１２】
【図１】該考案装置の１実施例を示した斜視図である。
【符号の説明】
【００１３】１  キャップ
２  霧吹き
３  ボトル
４  機能性イオン発生セラミックス
５  酸化チタン
６  リチアトルマリン
７  磁性体
【図１】
0003128706.tif 000003
【手続補正書】
【提出日】平成18年8月18日(2006.8.18)
【手続補正１】
【補正対象書類名】実用新案登録請求の範囲
【補正対象項目名】全文
【補正方法】変更
【補正の内容】
【実用新案登録請求の範囲】
【請求項１】
矩形で円筒形状に成型された容器３に手動式ノズル２を嵌合した、容器３と手動式ノズル２とはそれぞれ着脱可能に結合してなり、手動式ノズル２先端に設けられた穴より射出することによる、所謂霧吹きである該容器３内部に水を充填し、更に遊動自在に水改質組成体を収納し容器内面から透過するようにした小型の簡易活水器で、改質水を外部に導出する際、吸水管８を通り手動式ノズル２より霧状射出することを特徴とする小型の簡易活水器。
【請求項２】
簡易活水器の内部収納組成体に、機能性イオン発生セラミックス４乃至酸化チタン５及びリチアトルマリン６及び磁性体で希土類系乃至フェライト系若しくは希土類プラス、フェライトのハイブリット磁石７の何れか２つ以上の組成体を具備したことを特徴とする請求項１に記載の小型の簡易活水器。
【請求項３】
簡易活水器の内部収納組成体に、天然鉱石低レベル放射性物質、ラジウム、ゲルマニウム等を、利用範囲で法規制レベルの３７０ベクレル／ｇ以内を成分組成としホルミシス効果を有し、産生する微量放射線ホルミシス乃至自然環境と同等で理想的な数値のネガティブイオンが、１ｃｍ３当たり約５００〜３０００個、放出していることを具備し活水機能性を更に向上させたことを特徴とする、請求項１に記載の小型の簡易活水器。
【手続補正２】
【補正対象書類名】明細書
【補正対象項目名】全文
【補正方法】変更
【補正の内容】
【考案の詳細な説明】
【技術分野】
【０００１】  当該考案は、自然人に於ける肌の潤いと保湿を目的とするための活水器であって、多種類の鉱石乃至セラミックスを使用した、水の改質化及び活性化を図る容器で小型の活水器に関する。
【背景技術】
【０００２】  従前の活水器には、大まかに分けると以下の４種類がある。【０００３】  １、活性炭を使った、水溶分中の有害物質の吸着除去のみを目的としたもの。【０００４】  ２、活性炭及びセラミックスや２，３種類の鉱石を加えて水質の向上を目的としたもの。【０００５】  ３、磁力線を使った、水溶分中の有機物の表面電位に作用して、水質の向上を目的としたもの。【０００６】  ４、水を電気分解し、酸性水乃至アルカリイオン化させた、健康増進を目的としたもの。
【考案の開示】
【考案が解決しようとする課題】
【０００７】  水道水は、衛生的で飲料として使用する健康維持に必要不可欠のものである。然し、カルキ臭さがありトリハロメタン等を生成する前駆物質や、身体に良くない活性酸素が含まれている等、味の良くない地域があることが欠点となっている。そのため、従前から人間に於いて多種多様の浄化活水方法が提案されているが、それは活性炭基材乃至セラミックスや２，３種類の天然鉱石を加えて水質の向上及び改質に関する技術的な向上に努めているが、評価は、開発途上の関係もあるが高い評価を得ていない。そこで、この水を改質活性化させ健康増進と飲料水の良好且つ快適な関係を求めた機能性を有する活水を作り、簡便に素肌や口腔へめがけ霧状にて吹き付け潤いを与える、簡易活水器を提供することを目的とする。
【課題を解決するための手段】
【０００８】  飲料水としての水を改質活性化し、且つ、其の味をマイルド化させるために、今般−イオン化処理が注目されている、−イオンは人体に取り込まれると、各種の機能を低下させる活性酸素の持つ機能を抑え、新陳代謝を活発にする為に、健康増進に繋がる恒常性維持機能を高めることを特徴とする。【０００９】  人体は凡そ６０兆の細胞で構成され、その約７０％が水分であるといわれ、其の体液の流れを速やかに促し、飲料水として良好且つ快適な関係を求めた水で、更に−イオン乃至各種鉱石乃至セラミックス及び磁性体等により、改質された水を長期間使用し恒常性維持機能を高め生体バランスを整える必要がある。従って活水器の内部収納組成体に、請求項３に記載の酸化チタン乃至抗菌セラミックス及び天然鉱石低レベル放射性物質、ラジウム、ゲルマニウム等を、利用範囲で法規制レベルの３７０ベクレル／ｇ以内を成分組成としホルミシス効果を有し、是より産生する微量放射線ホルミシス乃至自然環境と同等で理想的な数値のネガティブイオンを放出しているなど、活水機能性を更に向上させたことを特徴とする小型の簡易活水器で水及び水溶物質のゼーター電位に作用し酸化還元電位を低下する作用を具備する。
【考案の効果】
【００１０】  当該考案は、本来水に含まれ、人体に必要な各種ミネラル成分を、良好且つ快適に体内に取り込めるよう、活水器の容器内部に収納し機能性イオン発生セラミックス乃至強力磁性体で希土類系乃至フェライト系若しくは希土類プラス、フェライトのハイブリット磁石の何れか２つ以上を具備することと、更に簡易活水器の内部収納組成体に、酸化チタン乃至抗菌セラミックス及び天然鉱石低レベル放射性物質、ラジウム、ゲルマニウム等を、利用範囲で法規制レベルの３７０ベクレル／ｇ以内を組成体としホルミシス効果を有し、是より産生する微量放射線ホルミシス乃至自然環境と同等で理想的な数値のネガティブイオンが、１ｃｍ３当たり約５００〜３０００個、放出していることと、活水機能性を更に向上させたことを特徴とする小型の簡易活水器で、水乃至水溶物質のゼーター電位に作用し酸化還元電位を低下する作用を生かす水質活性を内面から透過するようにした。その使用に際し、小型で簡便にして頗る重宝である上に、その体裁性にも優れる等の実用的諸効果をもたらし良好且つ快適な小型の簡易活水器であることを奏する。
【考案の実施するための最良の形態】
【００１１】  以下図面を参照して、本考案を更に詳しく説明する。
図１は、当該考案の第１実施例である。関わる１から１０までの算用数字で、其の部位を表した。１は、手動式ノズル２をカバーするキャップである。２は、手動式ノズルで、頭頂部を下方に押すと容器３内部に遊動自在に収納された酸化チタン５乃至リチアトルマリン６及び磁性体７乃至天然鉱石低レベル放射性物質、ラジウム、ゲルマニウム等を、利用範囲で法規制レベルの３７０ベクレル／ｇ以内を組成体としホルミシス効果を有する機能性イオン発生セラミックス４より産生する微量放射線ホルミシス乃至自然環境と同等で理想的な数値のネガティブイオンが、１ｃｍ３当たり約５００〜３０００個、放出している、これ等の働きにより改質された水が、吸水管８を通りノズル２より霧状となり射出する、スプリング１０は、次の霧射出のため手動式ノズルを押し上げる。すなわち使用に際し連続射出が簡便にて頗る重宝で良好且つ快適な小型の簡易活水器を得ることが出来る。
【実施例１】
【００１１】  図１は、当該考案装置の１実施例であり、該考案を表現したもので下記の例によって該考案が実施例だけに限定されるものではない。
【図面の簡単な説明】
【００１２】
【図１】該考案装置の１実施例を示した斜視図である。
【符号の説明】
【００１３】  １  キャップ
２  手動式ノズル
３  透明ポリ容器
４  機能性イオン発生セラミックス
５  酸化チタン
６  リチアトルマリン
７  磁性体
８  吸水管
９  嵌合部
１０  スプリング
【手続補正３】
【補正対象書類名】図面
【補正対象項目名】全図
【補正方法】変更
【補正の内容】
【図１】
0003128706.tif 000004